(57)【要約】【課題】ITSスポット利用中のWebページへのアクセス支援を行う「車載システム及びコンピュータプログラム」を提供する。【解決手段】車載システム１は、ITSスポットとのDSRC接続時にURLを受信したならば、イントラネット用設定データに受信したURLを保存する。そして、Webブラウザ１１２に設定されているホームページURLを、インターネット用設定データに待避した上で、イントラネット用設定データのURLで、Webブラウザ１１２のホームページURLを更新し、Webブラウザ１１２をITSスポットのイントラネット２１に接続する。その後、接続をインターネット５に復帰するときには、Webブラウザ１１２のホームページURLをイントラネット用設定データに待避した上で、インターネット用設定データのURLで、Webブラウザ１１２のホームページURLを更新する。【選択図】図４
2015056095.tif 000002
【特許請求の範囲】
【請求項１】
移動体通信網を介しインターネットに接続可能な車載システムであって、
イントラネットへの中継機能を提供する路側システムに狭域通信を介して接続する接続手段と、
接続したネットワーク上のWebページを読み込み表示するWebブラウザと、
前記インターネットと、前記接続手段が接続している前記路側システムが中継機能を提供するイントラネットとの間で、前記Webブラウザが接続するネットワークを切り替える接続ネットワーク切替手段と、
制御手段とを有し、
前記Webブラウザは、一つまたは複数のWebページのURLを登録した登録URLデータを保持し、所定のイベント発生時に、保持している登録URLデータに登録されているURLのWebページを読み込んで表示し、
前記制御手段は、
前記接続手段が接続したことのある前記各路側システムに各々対応して設けた、各々一つまたは複数のWebページのURLを登録したイントラネットURLデータと、一つまたは複数のWebページのURLを登録したインターネットURLデータとを保持し、
前記接続ネットワーク切替手段が前記Webブラウザが接続するネットワークを前記インターネットから前記イントラネットに切り替えるのに先立って、前記Webブラウザが保持している前記登録URLデータで前記インターネットURLデータを更新すると共に、前記接続手段が接続している路側システムに対応するイントラネット登録URLデータに前記Webブラウザが保持している登録URLデータを変更し、
前記Webブラウザと前記イントラネットとの接続が切断されたときに、前記Webブラウザが保持している登録URLデータで、当顔接続が切断されたイントラネットへの中継機能を提供していた路側システムに対応する前記イントラネットURLデータを更新すると共に、インターネットURLデータに前記Webブラウザが保持している登録URLデータを変更することを特徴とする車載システム。
【請求項２】
請求項１記載の車載システムであって、
前記制御手段は、前記狭域通信で接続した路側システムからURLを通知されたときに、前記接続手段が接続している前記路側システムに対応する前記イントラネットURLデータに通知されたURLを登録することを特徴とする車載システム。
【請求項３】
請求項１または２記載の車載システムであって、
前記制御手段は、前記狭域通信で接続した路側システムからURLを通知されたときに、ユーザに通知されたURLの閲覧の要否を問い合わせ、閲覧要が指示された場合に、前記接続ネットワーク切替手段に、Webブラウザが接続するネットワークを、前記接続手段が接続している前記路側システムが中継機能を提供するイントラネットに切り替えさせると共に、前記Webブラウザに前記通知されたURLのWebページの読み込み及び表示を行わせることを特徴とする車載システム。
【請求項４】
請求項１または２記載の車載システムであって、
前記Webブラウザは、ユーザがホームページとして指定したWebページのURLを、保持する登録URLデータに登録すると共に、ユーザのホームページの表示指示操作を前記所定のイベントとして、ユーザのホームページの表示指示操作が発生したときに、登録URLデータに登録されているURLのWebページを読み込んで表示することを特徴とする車載システム。
【請求項５】
請求項１記載の車載システムであって、
前記Webブラウザは、ユーザのブックマーク登録操作に応答して表示中のWebページのURLとタイトルとを、保持する登録URLデータに追加登録すると共に、ユーザのブックマークの表示指示操作に応答して、登録URLデータに登録されているWebページのタイトルの一覧を表示すると共に、表示した一覧中のタイトルの選択を前記所定のイベントとして、表示した一覧中でタイトルが選択されたときに、前記所定のイベントが発生したものとして、タイトルが選択されたWebページを読み込んで表示することを特徴とする車載システム。
【請求項６】
請求項１記載の車載システムであって、
前記Webブラウザは、表示したWebページのURLとタイトルとを、保持する登録URLデータに追加登録すると共に、ユーザの履歴の表示指示操作に応答して、登録URLデータに登録されているWebページのタイトルの一覧を表示すると共に、表示した一覧中のタイトルの選択を前記所定のイベントとして、表示した一覧中でタイトルが選択されたときに、前記所定のイベントが発生したものとして、タイトルが選択されたWebページを読み込んで表示することを特徴とする車載システム。
【請求項７】
請求項１、２、３、４、５または６記載の車載システムであって、
当該車載システムは、移動通信装置と接続し、接続した前記移動通信装置の移動通信機能を利用することにより、移動体通信網を介してインターネットに接続することを特徴とする車載システム。
【請求項８】
自動車に搭載された、移動体通信網を介しインターネットに接続可能かつ、イントラネットへの中継機能を提供する路側システムに狭域通信を介して接続可能なコンピュータによって読み取られ実行されるコンピュータプログラムであって、
当該コンピュータプログラムは、前記コンピュータを、
接続したネットワーク上のWebページを読み込み表示するWebブラウザと、
前記インターネットと、接続している前記路側システムが中継機能を提供するイントラネットとの間で、前記Webブラウザが接続するネットワークを切り替える接続ネットワーク切替手段と、
制御手段として機能させ、
前記Webブラウザは、一つまたは複数のWebページのURLを登録した登録URLデータを保持し、所定のイベント発生時に、保持している登録URLデータに登録されているURLのWebページを読み込んで表示し、
前記制御手段は、
接続したことのある前記各路側システムに各々対応して設けた、各々一つまたは複数のWebページのURLを登録したイントラネットURLデータと、一つまたは複数のWebページのURLを登録したインターネットURLデータとを保持し、
前記接続ネットワーク切替手段が前記Webブラウザが接続するネットワークを前記インターネットから前記イントラネットに切り替えるのに先立って、前記Webブラウザが保持している登録URLデータで前記インターネットURLデータを更新すると共に、接続している路側システムに対応するイントラネット登録URLデータに前記Webブラウザが保持している登録URLデータを変更し、
前記Webブラウザと前記イントラネットとの接続が切断されたときに、前記Webブラウザが保持している登録URLデータで、当顔接続が切断されたイントラネットへの中継機能を提供していた路側システムに対応する前記イントラネットURLデータを更新すると共に、インターネットURLデータに前記Webブラウザが保持している登録URLデータを変更することを特徴とするコンピュータプログラム。
【発明の詳細な説明】
【技術分野】
【０００１】
本発明は、車載システムにおいて、路側システムを介してアクセス可能なWebページの閲覧を支援する技術に関するものである。
【背景技術】
【０００２】
車載システムに情報を配信する路側システムとして、サービスエリアやパーキングエリアや道の駅などの施設に設置される、ITSスポットサービスを提供する路側システムが知られている。
このようなITSスポットサービスを提供する路側システムは、当該路側システムの通信エリア内に進入した車載システムとの間のDSRC（Dedicated Short Range Communication：狭域通信）を介した接続を自動的に確立し、所定のWebページのURLを車載システムに通知する。一方、接続が発生した車載システムが備えるWebブラウザは、ユーザのITSスポットサービスの利用開始の指示等に応じて、路側システムがDSRCの接続確立直後に通知されたURLのWebページにアクセスし表示する（たとえば、特許文献１）。
【先行技術文献】
【特許文献】
【０００３】
【特許文献１】特開2005-241258号公報
【発明の概要】
【発明が解決しようとする課題】
【０００４】
上述したITSスポットサービスを提供する路側システムがインターネット接続機能を提供せずに、DSRC接続した車載システムが備えるWebブラウザの、路側システムが接続するローカルなイントラネット上のWebページへのアクセスのみを可能とする場合には、次のような問題が生じる。
【０００５】
すなわち、いま、車載システムのWebブラウザが、ITSスポットサービスを利用していない期間中、移動電話機などの移動体通信を介してインターネットに接続し、インターネット上のWebページにアクセスするものである場合を考える。
この場合、車載システムがITSスポットサービスを利用している期間中、Webブラウザが行う通信は移動体通信を介した通信からDSRCを介した通信に切り替えられるため、Webブラウザは移動体通信を介してインターネットに接続できなくなり、インターネット上のWebページにアクセスできなくなる。
【０００６】
ここで、Webブラウザには、ホームページやブックマークや履歴を用いた、ユーザのWebページへのアクセスを支援する機能を備えていることが一般的である。なお、ホームページを用いたWebページへのアクセスを支援する機能とは、Webブラウザが最初のまたは新しいウインドウを開く際に、ユーザによってホームページとして登録されているWebページに自動的にアクセスして表示したり、ユーザからホームページのアクセスを指示されたときにホームページとして登録されているWebページにアクセスして表示する機能である。また、ブックマークを用いたWebページへのアクセスを支援する機能とは、ユーザからブックマークの表示を指示されたときに、それまでにユーザによってブックマークとして登録されたWebページの一覧を表示し、表示した一覧中から指定されたWebページにアクセスして表示する機能である。また、履歴を用いたWebページへのアクセスを支援する機能とは、ユーザによって閲覧されたWebページの履歴を記憶しておき、ユーザから履歴の表示を指示されたときに、履歴に基づいてユーザが過去に閲覧したWebページの一覧を表示し、表示した一覧中から指定されたWebページにアクセスして表示する機能である。
【０００７】
しかしながら、上述のように車載システムがITSスポットサービスを利用している期間中、Webブラウザはインターネット上のWebページにアクセスできなくなるために、当該期間中は、Webブラウザは、ホームページやブックマークや履歴として登録されているインターネット上のWebページにアクセスすることができなくなる。
【０００８】
そして、このために、ユーザは、Webブラウザの、ホームページやブックマークや履歴など既登録のURLを用いたWebページへのアクセスを支援する機能を一切利用することができなくなる。
すなわち、たとえば、車載システムがITSスポットサービスを利用している期間中にユーザがブックマークとして登録しておいたインターネット上の特定のWebページへのアクセスを指定しても、Webブラウザは、指定されたWebページにアクセスして表示することはできない。
【０００９】
そこで、本発明は、路側システムを介してイントラネットに接続している期間中も、Webブラウザにおいて既登録のURLを用いたユーザのイントラネット上のWebページへのアクセスの支援を行えるようにすることを課題とする。
【課題を解決するための手段】
【００１０】
前記課題達成のために、本発明は、移動体通信網を介しインターネットに接続可能な車載システムに、イントラネットへの中継機能を提供する路側システムに狭域通信を介して接続する接続手段と、接続したネットワーク上のWebページを読み込み表示するWebブラウザと、前記インターネットと、前記接続手段が接続している前記路側システムが中継機能を提供するイントラネットとの間で、前記Webブラウザが接続するネットワークを切り替える接続ネットワーク切替手段と、制御手段とを備えたものである。ただし、前記Webブラウザは、一つまたは複数のWebページのURLを登録した登録URLデータを保持し、所定のイベント発生時に、保持している登録URLデータに登録されているURLのWebページを読み込んで表示する。また、前記制御手段は、前記接続手段が接続したことのある前記各路側システムに各々対応して設けた、各々一つまたは複数のWebページのURLを登録したイントラネットURLデータと、一つまたは複数のWebページのURLを登録したインターネットURLデータとを保持し、前記接続ネットワーク切替手段が前記Webブラウザが接続するネットワークを前記インターネットから前記イントラネットに切り替えるのに先立って、前記Webブラウザが保持している登録URLデータで前記インターネットURLデータを更新すると共に、前記接続手段が接続している路側システムに対応するイントラネット登録URLデータに前記Webブラウザが保持している登録URLデータを変更し、前記Webブラウザと前記イントラネットとの接続が切断されたときに、前記Webブラウザが保持している登録URLデータで、当顔接続が切断されたイントラネットへの中継機能を提供していた路側システムに対応する前記イントラネットURLデータを更新すると共に、インターネットURLデータに前記Webブラウザが保持している登録URLデータを変更する。
【００１１】
このような車載システムによれば、Webブラウザがインターネットに接続している期間中は従来通り、ホームページやブックマークや履歴などとして保持している登録URLデータを用いてインターネット上のWebページのユーザの閲覧を支援することができる。また、このような車載システムによれば、Webブラウザが、路側システムが中継機能を提供するイントラネットに接続する際に、Webブラウザの登録URLデータを当該イントラネット用の登録URLデータに置き換えるので、Webブラウザがイントラネットに接続している期間中は、登録URLデータを用いて当該イントラネット上のWebページのユーザの閲覧を支援することができるようになる。
【００１２】
ここで、このような車載システムは、前記制御手段において、前記狭域通信で接続した路側システムからURLを通知されたときに、前記接続手段が接続している前記路側システムに対応する前記イントラネットURLデータに通知されたURLを登録するように構成することが好ましい。
【００１３】
このようにすることにより、路側システムが疑似プッシュ配信する、当該路側システムの運営者が当該路側システムに接続した車載システムのユーザに最初に閲覧させたいWebページのユーザの閲覧を、Webブラウザが当該路側システムが中継機能を提供するイントラネットに接続している期間中、保持している登録URLデータを用いて支援することができるようになる。
【００１４】
また、以上の車載システムは、前記制御手段において、前記狭域通信で接続した路側システムからURLを通知されたときに、ユーザに通知されたURLの閲覧の要否を問い合わせ、閲覧要が指示された場合に、前記接続ネットワーク切替手段に、Webブラウザが接続するネットワークを、前記接続手段が接続している前記路側システムが中継機能を提供するイントラネットに切り替えさせると共に、前記Webブラウザに前記通知されたURLのWebページの読み込み及び表示を行わせるように構成してもよい。
【００１５】
また、以上の車載システムにおいて、前記Webブラウザは、ユーザがホームページとして指定したWebページのURLを、保持する登録URLデータに登録すると共に、ユーザのホームページの表示指示操作に応答して、登録URLデータに登録されているURLのWebページを読み込んで表示するものであってもよい。
【００１６】
また、前記Webブラウザは、ユーザのブックマーク登録操作に応答して表示中のWebページのURLとタイトルとを、保持する登録URLデータに追加登録すると共に、ユーザのブックマークの表示指示操作に応答して、登録URLデータに登録されているWebページのタイトルの一覧を表示すると共に、表示した一覧中のタイトルの選択を前記所定のイベントとして、表示した一覧中でタイトルが選択されたときに、前記所定のイベントが発生したものとして、タイトルが選択されたWebページを読み込んで表示するものであってもよい。
【００１７】
また、以上の車載システムにおいて、前記Webブラウザは、表示したWebページのURLとタイトルとを、保持する登録URLデータに追加登録すると共に、ユーザの履歴の表示指示操作に応答して、登録URLデータに登録されているWebページのタイトルの一覧を表示すると共に、表示した一覧中のタイトルの選択を前記所定のイベントとして、表示した一覧中でタイトルが選択されたときに、前記所定のイベントが発生したものとして、タイトルが選択されたWebページを読み込んで表示するものであってもよい。
【００１８】
また、以上の車載システムは、移動通信装置と接続し、接続した移動通信装置の移動通信機能を利用することにより、移動体通信網を介してインターネットに接続するものであってよい。
【発明の効果】
【００１９】
以上のように、本発明によれば、路側システムを介してイントラネットに接続している期間中も、Webブラウザにおいて既登録のURLを用いたユーザのイントラネット上のWebページへのアクセスの支援を行えるようになる。
【図面の簡単な説明】
【００２０】
【図１】本発明の実施形態に係る車載システムの構成を示すブロック図である。
【図２】本発明の実施形態に係る情報システムの構成を示すブロック図である。
【図３】本発明の実施形態に係る車載システムの表示例を示す図である。
【図４】本発明の実施形態に係る設定データを示す図である。
【図５】本発明の実施形態に係るITS情報受信制御処理を示すフローチャートである。
【図６】本発明の実施形態に係る車載システムの表示例を示す図である。
【発明を実施するための形態】
【００２１】
以下、本発明の実施形態について説明する。
図１に本実施形態に係る車載システムの構成を示す。
図示するように、車載システム１は自動車に搭載されたシステムであり、サービスエリアやパーキングエリアや道の駅などの各所の施設に設置されたITSスポットシステムとのDSRCによる通信を担うDSRC通信装置１０１、入力装置１０２、表示装置１０３、記憶装置１０４、ＧＰＳ受信機などのその他の周辺装置１０５、デバイスインタフェース１０６、車載装置のオペレーティングシステム１０７、オペレーティングシステム１０７によって管理されオペレーティングシステム１０７上で稼働するアプリケーションとを備えている。
【００２２】
そして、アプリケーションとしては、ITS情報受信制御アプリケーション１１１と、Webブラウザ１１２と、ナビゲーションアプリケーションなどの、その他のアプリケーション１１３を備えている、
ここで、車載システム１は、デバイスインタフェース１０６で、移動電話機やスマートフォンなどの移動通信装置３とBluetooth（登録商標）やWIFIなどの無線通信インタフェースやUSBなどの有線通信インタフェースで接続し、接続した移動通信装置３と相互通信を行うことができる。
【００２３】
そして、車載システム１のWebブラウザ１１２は、以上のように車載システム１に接続した移動通信装置３で接続した移動体通信網を介して、図２に示すようにインターネット５に接続することができ、インターネット５に接続している期間中は、インターネット５上のWebサーバ６にアクセスすることができるようになる。
【００２４】
なお、車載システム１は、ハードウエア的には、ＣＰＵやメモリなどを備えたコンピュータを用いて構成されるものであり、オペレーティングシステム１０７や、各アプリケーションなどは、当該コンピュータが、所定のコンピュータプログラムを実行することにより実現されるものである。
【００２５】
ここで、車載システム１のDSRC通信装置１０１がDSRCによる通信を行うITSスポットシステム２は、図２に示すように、路側システム２０と、路側システム２０に接続したイントラネット２１と、イントラネット２１上に配置されたローカルWebサーバ２２とを含んで構成される。また、路側システム２０は、近傍に位置する自動車の車載システム１との間でDSRCによる信号の送受信を行う路側送受信機２０１と、路側装置２０２とを含んでいる。
【００２６】
そして、路側システム２０の路側装置２０２は、接続制御装置２０２１を備えており、接続制御装置２０２１は、路側送受信機２０１の通信エリア内にDSRCを介した通信が可能な状態の車載システム１が出現したならば、当該車載システム１との間で所定の接続手順を実行し、IP接続を含む所定のプロトコルの通信接続を確立する。
【００２７】
そして、接続制御装置２０２１の制御によって路側システム２０と車載システム１のIP接続が確立したならば、車載システム１のWebブラウザ１１２は、当該IP接続を介して、イントラネット２１に接続し、イントラネット２１上のローカルWebサーバ２２にアクセスできるようになる。
【００２８】
また、路側システム２０の路側装置２０２は、プッシュ型情報配信部２０２２を備えており、接続制御装置２０２１の制御によって車載システム１との間の所定のプロトコルの通信接続が確立すると、プッシュ型情報配信部２０２２は当該所定のプロトコルの通信接続を介して車載システム１との通信を行うことができるようになる。
【００２９】
そして、プッシュ型情報配信部２０２２は、接続制御装置２０２１の制御によって路側システム２０との通信接続が確立した車載システム１が発生すると、非ＩＰ系通信を用いて、所定のURLを、プッシュ配信情報URLとして車載システム１に通知する。ここで、プッシュ配信情報URLとする所定のURLは、車載システム１がＩＰ接続を介してアクセス可能なWebページのURLであり、路側システム２０の通信エリア内に進入した自動車のユーザに最初に閲覧させたいWebページのURLがプッシュ配信情報URLとして設定される。すなわち、プッシュ配信情報URLとしては、たとえば、ローカルWebサーバ２２上の、路側システム設置施設の広告情報や利用案愛情報を記述したWebページのURL等が用いられる。
【００３０】
次に、車載システム１の記憶装置１０４に記憶される複数の設定データについて説明する。
各設定データは、Webブラウザ１１２の設定のセットであり、記憶装置１０４には、一つのインターネット用設定データと、車載システム１がプッシュ配信情報URLを受信したことのあるITSスポットシステム毎に対応して設けたイントラネット用設定データとが記憶される。
【００３１】
図３ａに示すように、インターネット用設定データは、接続、登録URLセット、セキュリティレベルなどのエントリを有し、インターネット用設定データの接続のエントリにはインターネット５が登録される。
また、インターネット用設定データの登録URLセットのエントリには、一つのWebページのURLであるホームページURLと、任意数のWebページのページタイトルやURLのリストであるブックマークリストと、任意数のWebページのページタイトルやURLのリストである履歴リストとが格納される。また、インターネット用設定データのセキュリティレベルには、Webブラウザ１１２に設定可能なセキュリティレベルのいずれかのレベルを登録することができる。
【００３２】
次に、図３ｂに示すようにイントラネット用設定データも、接続、登録URLセット、セキュリティレベルなどのエントリを有し、イントラネット用設定データの接続のエントリには、対応するITSスポットシステム２の識別情報が登録される。ここで、ITSスポットの識別情報としては、対応するITSスポットシステム２から受信したプッシュ配信情報URLを用いる。
【００３３】
また、イントラネット用設定データの登録URLセットのエントリにも、インターネット用設定データと同様に、ホームページURLと、ブックマークリストと、履歴リストとを格納することができる。また、インターネット用設定データのセキュリティレベルには、Webブラウザ１１２に設定可能なセキュリティレベルのいずれかのレベルを登録することができる。
【００３４】
次に、車載システム１のWebブラウザ１１２の動作について説明する。
Webブラウザ１１２は、インターネット５かいずれかのITSスポットシステム２のイントラネット２１である一つのネットワークに選択的に接続し、ユーザ操作等に応じて、接続したネットワーク上のWebサーバ６（インターネット５上のWebサーバ６、または、イントラネット２１上のローカルWebサーバ２２）のからWebページを読み込んで表示する処理などを、図４ａに示すWebブラウザ１１２のウインドウ４００を用いて行う。
【００３５】
ここで、図示するように、Webブラウザ１１２のウインドウ４００には読み込んだWebページを表示するページ表示エリア４０１、ページ表示エリア４０１に表示するWebページを一つ前のWebページに戻す「前へ」ボタン４０２、ページ表示エリア４０１に表示するWebページを一つ後のWebページに進める「後へ」ボタン４０３、ページ表示エリア４０１に表示しているWebページのWebサーバ６からの読み込みを再度実行する「再表示」ボタン４０４、Webページの読み込みを中止する「中止」ボタン４０５、「ホーム」ボタン４０６、「ブックマーク」ボタン４０７、「履歴」ボタン４０８、Webブラウザ１１２の各種処理メニューを呼び出すための「メニュー」ボタン４０９が配置されている。
【００３６】
ここで、Webブラウザ１１２は、「メニュー」ボタン４０９から呼び出すことのできるセキュリティ設定処理で、ユーザから設定を受け付けたセキュリティレベルが維持される態様で各種動作を行う。
また、Webブラウザ１１２は、「メニュー」ボタン４０９から呼び出すことのできるホームページ設定処理で、ユーザから設定を受け付けたURLをホームページURLとして内部に保持する。そして、Webブラウザ１１２が最初のまたは新しいウインドウ４００を開く際に、ホームページURLのWebページを読み込んで、ページ表示エリア４０１に表示したり、ユーザによって「ホーム」ボタン４０６が操作されたときに、ホームページURLのWebページを読み込んで、ページ表示エリア４０１に表示する処理を行う。
【００３７】
また、Webブラウザ１１２は、「ブックマーク」ボタン４０７がユーザによって操作されると、図４ｂに示すように、ブックマークウインドウ４２０を表示する。ここで、ブックマークウインドウ４２０には、「ブックマークに追加」メニューが設けられており、「ブックマークに追加」ボタン４０２がユーザによって操作されると、Webブラウザ１１２は、ページ表示エリア４０１に表示しているWebページのページタイトルとURLを内部に保持しているブックマークリストに追加登録する。また、ブックマークウインドウ４２０には、ブックマークリストに登録されているWebページのページタイトルの一覧も表示され、Webブラウザ１１２は、一覧中でWebページのページタイトルが選択されると、選択されたWebページを読み込んで、ページ表示エリア４０１に表示する。
【００３８】
また、Webブラウザ１１２は、ページ表示エリア４０１に表示したWebページのページタイトルとURLのリストを履歴リストとして内部に保持しており、「履歴」ボタン４０８がユーザによって操作されると、Webブラウザ１１２は、履歴にリストに登録されているWebページのページタイトルの一覧を表示し、一覧中でWebページのページタイトルが選択されると、選択されたWebページを読み込んで、ページ表示エリア４０１に表示する。
【００３９】
以上、車載システム１のWebブラウザ１１２の動作について説明した。
次に、車載システム１のITS情報受信制御アプリケーション１１１の動作について説明する。
また、ITS情報受信制御アプリケーション１１１は、以下に示すITS情報受信制御処理を行う。
図６に、このITS情報受信制御処理の手順を示す。
図示するように、この処理では、車載システム１のDSRC通信装置１０１とITSスポットシステム２とのDSRCによる通信が接続し、ITSスポットシステム２から上述したプッシュ配信情報URLを受信するのを待つ（ステップ５０２）。
そして、ITSスポットシステム２からのプッシュ配信情報URLを受信したならば、プッシュ配信情報URLの送信元のITSスポットシステム２の識別情報が登録されているイントラネット用設定データが記憶装置１０４に記憶されているかどうかを調べる（ステップ５０４）。ここで、プッシュ配信情報URLの送信元のITSスポットシステム２が登録されているイントラネット用設定データとは、受信したプッシュ配信情報URLがITSスポットシステム２の識別情報として登録されているイントラネット用設定データである。
【００４０】
そして、プッシュ配信情報URLの送信元のITSスポットシステム２の識別情報が登録されているイントラネット用設定データが記憶装置１０４に記憶されていればステップ５０８に進み、登録されていなければ、プッシュ配信情報URLの送信元のITSスポットシステム２に対応するイントラネット用設定データを作成して記憶装置１０４に記憶した上で（ステップ５０６）、ステップ５０８に進む。ここで、ステップ５０６で作成するイントラネット用設定データは、接続のエントリに、ITSスポットシステム２の識別情報として、受信したプッシュ配信情報URLを登録したものとする。
【００４１】
次に、以上のようにしてステップ５０８に進んだならば、プッシュ配信情報URLの送信元のITSスポットシステム２の識別情報が登録されているイントラネット用設定データのホームページURLを受信したプッシュ配信情報URLに更新する。
そして、次に、図６ａに示すような、ITSスポットシステムサービスで閲覧可能な情報が存在することを通知する閲覧問合画面６００を表示する（ステップ５１０）。そして、ユーザから、閲覧問合画面５の「いいえ」ボタン６０１で閲覧不要であることを指示されたならば（ステップ５１２）、ステップ５０２に戻り、次回のプッシュ配信情報URLの受信を待つ。
【００４２】
一方、閲覧問合画面５の「はい」ボタン６０６で閲覧することを指示されたならば（ステップ５１４）、現在のWebブラウザ１１２の設定を、インターネット用設定データに待避する（ステップ５１６）。すなわち、インターネット用設定データの登録URLセットのエントリのホームページURLを、Webブラウザ１１２が保持しているホームページURLに更新し、インターネット用設定データの登録URLセットのエントリのブックマークリストを、Webブラウザ１１２が保持しているブックマークリストに更新し、インターネット用設定データの登録URLセットのエントリの履歴リストを、Webブラウザ１１２が保持している履歴リストに更新する。また、インターネット用設定データのセキュリティレベルのエントリに登録されているレベルを、Webブラウザ１１２にセキュリティレベルとして設定されているレベルに更新する。
【００４３】
そして、次に、プッシュ配信情報URLの送信元のITSスポットシステム２の識別情報が登録されているイントラネット用設定データで、Webブラウザ１１２を設定する（ステップ５１８）。すなわち、プッシュ配信情報URLの送信元のITSスポットシステム２のイントラネット用設定データの登録URLセットのエントリのホームページURLに、Webブラウザ１１２が保持しているホームページURLを更新し、プッシュ配信情報URLの送信元のITSスポットシステム２のイントラネット用設定データの登録URLセットのエントリのブックマークリストに、Webブラウザ１１２が保持しているブックマークリストを更新し、プッシュ配信情報URLの送信元のITSスポットシステム２のイントラネット用設定データの登録URLセットのエントリの履歴リストに、Webブラウザ１１２が保持している履歴リストを更新する。また、インターネット用設定データのセキュリティレベルのエントリに登録されているレベルに、Webブラウザ１１２のセキュリティレベルの設定を更新する。
【００４４】
そして、Webブラウザ１１２が接続するネットワークを、ITSスポットシステム２のイントラネット２１に切り替えると共に、プッシュ配信情報URLとして受信したURLへのアクセスをWebブラウザ１１２に指示する（ステップ５２０）。
ここで、プッシュ配信情報URLとして受信したURLへのアクセスを指示されたWebブラウザ１１２は、プッシュ配信情報URLのURLよりイントラネット21上のWebページを読み込んで図６ｂのようにページ表示エリア４０１に表示する。また、以降は、上述のように「ホーム」ボタン４０６や「ブックマーク」ボタン４０７や「履歴」ボタン４０８のユーザ操作等に応じて、ステップ５１８で更新された保持するホームページURL、ブックマークリスト、履歴リストにURLが登録されたイントラネット２１上のWebページの読み込み及び表示を行う他、ユーザ設定による保持するホームページURLの更新や、「ブックマークに追加」メニューの操作に応じた保持するブックマークリストへの表示中のイントラネット２１上のWebページの登録や、ページ表示エリア４０１に表示したイントラネット２１上のWebページの保持する履歴リストへの登録を行うこととなる。また、以降、ステップ５１８で設定されたセキュリティレベルで動作することとなる。
【００４５】
さて、このようにして、プッシュ配信情報URLとして受信したURLへのアクセスをWebブラウザ１１２に指示したならば（ステップ５２０）、ITSスポットシステム２とのDSRCによる通信の切断と（ステップ５２２）、ユーザ操作によるWebブラウザ１１２が接続するネットワークのインターネット５への切替要求の発生を監視する（ステップ５２４）。
【００４６】
そして、いずれかが発生したならば、現在のWebブラウザ１１２の設定で、最後にプッシュ配信情報URLを受信したITSスポットのイントラネット用設定データを更新する（ステップ５２６）。すなわち、最後にプッシュ配信情報URLを受信したITSスポットのイントラネット用設定データの登録URLセットのエントリのホームページURLを、Webブラウザ１１２が保持しているホームページURLに更新し、最後にプッシュ配信情報URLを受信したITSスポットのイントラネット用設定データの登録URLセットのエントリのブックマークリストを、Webブラウザ１１２が保持しているブックマークリストに更新し、最後にプッシュ配信情報URLを受信したITSスポットのイントラネット用設定データの登録URLセットのエントリの履歴リストを、Webブラウザ１１２が保持している履歴リストに更新する。また、最後にプッシュ配信情報URLを受信したイントラネット用設定データのセキュリティレベルのエントリに登録されているレベルを、Webブラウザ１１２にセキュリティレベルとして設定されているレベルに更新する。
【００４７】
そして、次に、待避しておいたインターネット用設定データのデータで、Webブラウザ１１２を設定する（ステップ５２８）。すなわち、インターネット用設定データの登録URLセットのホームページURLに、Webブラウザ１１２が保持しているホームページURLを更新し、インターネット用設定データの登録URLセットのエントリのブックマークリストに、Webブラウザ１１２が保持しているブックマークリストを更新し、インターネット用設定データの登録URLセットのエントリの履歴リストに、Webブラウザ１１２が保持している履歴リストを更新する。また、インターネット用設定データのセキュリティレベルのエントリに登録されているレベルに、Webブラウザ１１２のセキュリティレベルの設定を更新する。
【００４８】
そして、Webブラウザ１１２が接続するネットワークをインターネット５に切り替え（ステップ５３０）、ステップ５０２に戻り、次回のプッシュ配信情報URLの受信を待つ。
以上、ITS情報受信制御アプリケーション１１１が行うITS情報受信制御処理について説明した。
ところで、以上の実施形態では、ITSスポットシステム２のイントラネット用設定データに登録するITSスポットの識別情報として、そのITSスポットシステム２から受信したプッシュ配信情報URLを用いたが、ITSスポットの識別情報としては、そのITSスポットシステム２から受信したプッシュ配信情報URLを受信したときにナビゲーションアプリケーションやGPS受信機で算出した位置であるITSスポット位置や、そのITSスポットシステム２から受信したプッシュ配信情報URLを送信した路側送受信機２０１や路側装置２０２のIDを用いるようにしてもよい。
【００４９】
ただし、この場合には、ITS情報受信制御処理のステップ５０４では、現在ナビゲーションアプリケーションやGPS受信機で算出した位置や、DSRCによる通信が接続している路側送受信機２０１や路側装置２０２のIDが、ITSスポットの識別情報として登録されているイントラネット用設定データを、プッシュ配信情報URLの送信元のITSスポットシステム２の識別情報が登録されているイントラネット用設定データとする。
【００５０】
以上、本発明の実施形態について説明した。
以上のように、本実施形態によれば、Webブラウザ１１２がインターネット５に接続している期間中は、従来通り、ホームページやブックマークや履歴などとして保持しているURを用いてインターネット５上のWebページのユーザの閲覧を支援することができる。また、本実施形態によぇば、Webブラウザ１１２が、ITSスポットシステム２のイントラネット２１に接続する際に、Webブラウザ１１２のホームページやブックマークや履歴を当該イントラネット用設定データに置き換えるので、Webブラウザ１１２がイントラネット２１に接続している期間中は、ホームページやブックマークや履歴を用いて当該イントラネット２１上のWebページのユーザの閲覧を支援することができるようになる。
【符号の説明】
【００５１】
１…車載システム、２…スポットシステム、３…移動通信装置、５…インターネット、６…Webサーバ、２０…路側システム、２１…イントラネット、２２…ローカルWebサーバ、１０１…通信装置、１０２…入力装置、１０３…表示装置、１０４…記憶装置、１０５…周辺装置、１０６…デバイスインタフェース、１０７…オペレーティングシステム、１１１…情報受信制御アプリケーション、１１２…Webブラウザ、２０１…路側送受信機、２０２…路側装置、２０２１…接続制御装置、２０２２…プッシュ型情報配信部。
【図１】
2015056095.tif 000003
【図２】
2015056095.tif 000004
【図３】
2015056095.tif 000005
【図４】
2015056095.tif 000006
【図５】
2015056095.tif 000007
【図６】
2015056095.tif 000008